(57)【要約】      （修正有）【課題】カメラ背面方向に照射した光の反射光を利用したバウンス撮影ができない条件であっても、バウンス撮影と同等の撮影をスムーズに行う発光制御技術を提供する。【解決手段】発光装置は、光の照射方向を変更可能に設けられ、被写体１００と異なる反射体に向けて光を照射して被写体１００に照射する発光部２００ｂと、発光部２００ｂの内部に収容される位置と発光部から突出する位置との間で移動可能に設けられる反射拡散部材４００とを備える。カメラ背面方向に光を照射した際の反射光の光量に基づき、カメラ背面方向に反射体が存在しないと判定された場合、発光部２００ｂは、光の照射方向がカメラ上方向にある反射体１０１に変更されて、反射体１０１で反射させて被写体１００に照射するとともに、突出した反射拡散部材４００により反射させて被写体１００に照射する。【選択図】図１
2018054693.tif 000002
【特許請求の範囲】
【請求項１】
撮像装置、及び前記撮像装置に装着され、光の照射方向を変更可能な発光部を有して前記撮像装置との間で通信が可能な発光装置を備え、前記発光部から被写体と異なる反射体に向けて光を照射して、前記反射体からの反射光を前記被写体に照射する撮像システムであって、
前記発光部の内部に収容される位置と前記発光部から突出する位置との間で移動可能に設けられ、前記突出した位置で前記発光部から照射された光を反射拡散して前記被写体に照射する反射拡散部材と、
前記発光部から前記撮像装置の背面方向に光を照射した際の反射光の光量を測定する測光手段と、
前記測光手段の測光値に基づき、予め定めた値の光量の光を前記被写体の側に反射する前記反射体が前記撮像装置の背面方向に存在するか否かを判定する判定手段と、を備え、  前記判定手段によって前記反射体が前記撮像装置の背面方向に存在しないと判定された場合に、前記発光部は、光の照射方向が前記撮像装置の上方向にある前記反射体に変更されて、照射された光を前記上方向にある前記反射体で反射させて前記被写体に照射するとともに、前記突出した前記反射拡散部材により前記反射体での反射光の光路と異なる方向に反射させて前記被写体に照射することを特徴とする撮像システム。
【請求項２】
光の照射方向を変更可能に設けられ、被写体と異なる反射体に向けて光を照射して前記反射体からの反射光を前記被写体に照射する発光部と、
前記発光部の内部に収容される位置と前記発光部から突出する位置との間で移動可能に設けられ、前記突出した位置で前記発光部から照射された光を反射拡散する反射拡散部材と、を備え、
前記発光部は、光の照射方向が撮像装置の上方向にある前記反射体に変更された際に、照射された光を前記上方向にある前記反射体で反射させて前記被写体に照射するとともに、前記突出した前記反射拡散部材により前記反射体での反射光の光路と異なる方向に反射させて前記被写体に照射することを特徴とする発光装置。
【請求項３】
光の照射方向を変更可能に設けられ、被写体と異なる反射体に向けて光を照射して前記反射体からの反射光を前記被写体に照射する発光部と、
前記発光部の内部に収容される位置と前記発光部から突出する位置との間で移動可能に設けられ、前記突出した位置で前記発光部から照射された光を反射拡散する反射拡散部材と、
前記発光部から撮像装置の背面方向に光を照射した際の反射光の光量の測光値に基づき、予め定めた値の光量の光を前記被写体の側に反射する前記反射体が前記撮像装置の背面方向に存在するか否かを判定する判定手段と、
前記判定手段によって前記反射体が前記撮像装置の背面方向に存在しないと判定された場合に、前記発光部は、光の照射方向が前記撮像装置の上方向にある前記反射体に変更されて、照射された光を前記上方向にある前記反射体で反射させて前記被写体に照射するとともに、前記突出した前記反射拡散部材により前記反射体での反射光の光路と異なる方向に反射させて前記被写体に照射することを特徴とする発光装置。
【請求項４】
前記反射拡散部材は、前記突出した位置で前記発光部に対して前記照射された光の反射方向を変更可能に支持されていることを特徴とする請求項２又は３に記載の発光装置。
【請求項５】
前記反射拡散部材は、前記突出した位置で前記発光部に対して回動可能に支持されており、前記反射拡散部材を回動させる第１駆動手段を備えることを特徴とする請求項４に記載の発光装置。
【請求項６】
前記発光部は、回動することにより光の照射方向を変更可能に設けられており、前記発光部を回動させる第２駆動手段を備えることを特徴とする請求項２乃至５のいずれか一項に記載の発光装置。
【請求項７】
回動することにより光の照射方向を変更可能に設けられ、被写体と異なる反射体に向けて光を照射して前記反射体からの反射光を前記被写体に照射する発光部と、前記発光部の内部に収容される位置と前記発光部から突出する位置との間で移動可能に設けられ、前記突出した位置で前記発光部から照射された光を反射拡散する反射拡散部材と、前記発光部を回動させる駆動手段と、を備える発光装置の制御方法であって、
前記発光部から撮像装置の背面方向に光を照射した際の反射光の光量の測光値に基づき、予め定めた値の光量の光を前記被写体の側に反射する前記反射体が前記撮像装置の背面方向に存在するか否かを判定する判定ステップと、
前記判定ステップで前記反射体が前記撮像装置の背面方向に存在しないと判定された場合に、前記駆動手段を制御して前記発光部の光の照射方向が前記撮像装置の上方向にある前記反射体に向くように前記発光部を回動させることで、照射された光を前記上方向にある前記反射体で反射させて前記被写体に照射するとともに、前記突出した前記反射拡散部材により前記反射体での反射光の光路と異なる方向に反射させて前記被写体に照射する位置に前記発光部を配置する制御ステップと、を備えることを特徴とする発光装置の制御方法。
【請求項８】
請求項７に記載の発光装置の制御方法の各ステップをコンピュータに実行させることを特徴とするプログラム。
【発明の詳細な説明】
【技術分野】
【０００１】
本発明は、例えばデジタルカメラ等の撮像装置に搭載される発光装置の制御技術に関する。
【背景技術】
【０００２】
デジタルカメラ等の撮像装置では、ストロボ装置の発光部からストロボ光を天井等に向けて照射し、天井等からの拡散反射光を被写体に照射するいわゆるバウンス撮影が可能なものある。ストロボ光が天井等で反射して拡散することで、被写体を間接的に照明することができ、背景と被写体の輝度差が緩和されて柔らかい光での描写が可能となる。
【０００３】
特に近距離では、ストロボ光の照射角度をカメラ背面方向に向けることで同じ効果を得る撮影を行っている。従来、バウンス撮影時に最適なストロボ光の照射角度を自動で算出して、ストロボ光の照射方向をカメラの背面方向に向けることで、近距離でも最適な配光を実現する技術が提案されている（特許文献１）。
【先行技術文献】
【特許文献】
【０００４】
【特許文献１】特開２０１１−１７００１４号公報
【発明の概要】
【発明が解決しようとする課題】
【０００５】
しかし、上記特許文献１では、バウンス撮影を行う際の撮影条件によっては、カメラ背面方向にストロボ光を照射できない、あるいはカメラ背面方向にストロボ光を照射できてもバウンス撮影の効果を十分に得られない場合がある。
【０００６】
例えば、ストロボ光の照射方向をカメラ背面方向に設定できないストロボ装置、あるいは、カメラ背面方向での被写体の反射効果が期待できない場合等である。そのような場合、ストロボ光を天井面で反射拡散させる一般的なバウンス撮影では、ストロボ光の天井面での反射角は鋭角となり、被写体へは上方向からストロボ光が照射されるため、前髪、鼻などの下側に影が生じてしまう。このため、バウンス撮影の効果を十分に得ることができない問題がある。
【０００７】
そこで、本発明は、撮像装置の背面方向に照射した光の反射光を利用したバウンス撮影ができない条件であっても、当該バウンス撮影と同等の撮影をスムーズに行うことができる発光装置の制御技術を提供することを目的とする。
【課題を解決するための手段】
【０００８】
上記目的を達成するために、本発明は、撮像装置、及び前記撮像装置に装着され、光の照射方向を変更可能な発光部を有して前記撮像装置との間で通信が可能な発光装置を備え、前記発光部から被写体と異なる反射体に向けて光を照射して、前記反射体からの反射光を前記被写体に照射する撮像システムであって、前記発光部の内部に収容される位置と前記発光部から突出する位置との間で移動可能に設けられ、前記突出した位置で前記発光部から照射された光を反射拡散して前記被写体に照射する反射拡散部材と、前記発光部から前記撮像装置の背面方向に光を照射した際の反射光の光量を測定する測光手段と、前記測光手段の測光値に基づき、予め定めた値の光量の光を前記被写体の側に反射する前記反射体が前記撮像装置の背面方向に存在するか否かを判定する判定手段と、を備え、前記判定手段によって前記反射体が前記撮像装置の背面方向に存在しないと判定された場合に、前記発光部は、光の照射方向が前記撮像装置の上方向にある前記反射体に変更されて、照射された光を前記上方向にある前記反射体で反射させて前記被写体に照射するとともに、前記突出した前記反射拡散部材により前記反射体での反射光の光路と異なる方向に反射させて前記被写体に照射することを特徴とする。
【発明の効果】
【０００９】
本発明によれば、撮像装置の背面方向に照射した光の反射光を利用したバウンス撮影ができない条件であっても、当該バウンス撮影と同等の撮影をスムーズに行うことができ、自然な配光を実現することができる。
【図面の簡単な説明】
【００１０】
【図１】本発明の実施形態の一例である撮像システムを用いたバウンス撮影を説明する図である。
【図２】図１に示す撮像システムの制御系を説明するブロック図である。
【図３】カメラ本体の制御系を説明するブロック図である。
【図４】カメラ制御部とストロボ制御部との間でのデータ通信例を説明する概略図である。
【図５】ストロボ装置の発光部のバウンス角度とキャッチライトシートの角度制御を説明する図である。
【図６】オートバウンス撮影におけるカメラ側の動作を説明するフローチャート図である。
【図７】図６のステップＳ６０２においてオートバウンス撮影の駆動指示をカメラから受信した場合のストロボ装置の動作を説明するフローチャート図である。
【図８】図７のステップＳ７０８におけるキャッチライトシートの駆動制御を説明するフローチャート図である。
【発明を実施するための形態】
【００１１】
以下、図面を参照して、本発明の実施形態の一例を説明する。
【００１２】
図１は、本発明の実施形態の一例である撮像システムを用いたバウンス撮影を説明する図である。なお、本実施形態では、本発明の撮像システムを構成する撮像装置及び発光装置として、それぞれデジタル一眼レフカメラ及びストロボ装置を例示するが、これに限定されない。
【００１３】
本実施形態の撮像システムは、図１及び図２に示すように、デジタル一眼レフカメラのカメラ本体３００の正面側（被写体側）に交換式のレンズユニット５が着脱可能に装着されている。また、カメラ本体３００の上面部には、ストロボ装置２００が着脱可能に装着されている。
【００１４】
ストロボ装置２００は、カメラ本体３００の上面部に着脱可能に装着される装置本体２００ａと、装置本体２００ｂに対して回動可能に支持され、ストロボ光の照射方向を変更可能な発光部２００ｂとを備える。
【００１５】
そして、ストロボ装置２００の発光部２００ｂから照射されるストロボ光をカメラの上方向にある天井面１０１で反射させると共に、キャッチライトシート４００で反射させて、それぞれの光路の異なる反射光により被写体１００を照明してバウンス撮影を行う。
【００１６】
キャッチライトシート４００は、反射拡散機能を有し、所定硬度の乳白色の平板により形成されている。また、キャッチライトシート４００は、発光部２００ｂの内部に収容される位置と発光部２００ｂから突出する位置との間で移動可能に設けられ、かつ突出した位置で発光部２００ｂに対して回動可能に支持されてストロボ光の反射方向を変更可能に設けられている。キャッチライトシート４００は、本発明の反射拡散部材の一例に相当する。
【００１７】
ところで、通常のバウンス撮影では、ストロボ光を天井面で反射させて、その拡散反射光を被写体に間接的に照明することで、背景と被写体の輝度差が緩和されて柔らかい光での描写が可能となる。
【００１８】
しかし、図１に示す状態では、ストロボ装置２００から被写体１００までの距離が近いため、カメラ背面方向に存在する反射体での反射光を利用した撮影を行いたいが、カメラ背面方向にはストロボ光を効果的に反射させる反射体が存在しない。この場合、被写体１００に対しては天井面１０１で反射したストロボ光が被写体１００の上方から照明され、例えば前髪や鼻などの影が出やすい。
【００１９】
そこで、本実施形態では、まず、カメラ本体３００と被写体１００との距離、及びカメラ本体３００と天井面１０１との距離に基づき、ストロボ装置２００から照射されたストロボ光を天井面１０１で反射させるためのバウンス角度を公知の方法により設定する。
【００２０】
そして、天井面１０１とキャッチライトシート４００でストロボ光を反射させてそれぞれの光路の異なる反射光により被写体１００を照明する。これにより、天井面１０１でのストロボ光の反射光の反射角が鋭角であるために生ずるストロボ撮影画像の不自然さ（例えば被写体の前髪の影など）を改善している。
【００２１】
ここで、バウンス角度とは、レンズユニット５の光軸とストロボ装置２００の発光部２００ａから照射されるストロボ光の照射方向とのなす角度である。また、バウンス角度は、本実施形態では、発光部２００ｂの回動中心を通るレンズユニット５の光軸と平行な直線を基準として上下方向に１２０°の範囲で設定されるが、発光部２００ｂの回動範囲や回動方向は、特に限定されない。
【００２２】
図２は、図１に示す撮像システムの制御系を説明するブロック図である。図２において、ストロボ装置２００は、電池２０２が装着されることにより電源回路２０３が作動し、ストロボ制御部２０１に電源が供給される。ストロボ制御部２０１は、ＣＰＵ、ＲＯＭ、ＲＡＭなどにより構成され、ストロボ装置２００全体を制御する。例えば、ストロボ制御部２０１は、ＳＷ回路２１０のＰＯＷＥＲスイッチの状態を検出し、電源のオン／オフをコントロールする。
【００２３】
また、ストロボ制御部２０１は、ＳＷ回路２１０のＭＥＮＵスイッチがユーザにより押下されると、表示回路２１５によりＬＣＤ等の表示部２１７をパラメータ設定モード表示とする。そして、ストロボ制御部２０１は、ダイアルユニット２１２やＳＷ回路２１０のＳＥＴスイッチに対するユーザ操作によって、制御に必要なパラメータを設定する。
【００２４】
ダイアルユニット２１２は、回転方向によってパルスの出力が変化するＤＩＡＬ１、及びＤＩＡＬ２の切片を有し、回転方向と回転数を検出する事により、スムーズにパラメータの変更できるようになっている。さらに、ストロボ制御部２０１は、ワイヤレスセレクタ２１１の状態により、ワイヤレスモードでの作動状態を設定する。
【００２５】
ワイヤレスモードでは、通信回路２１３のＲＦ−ｕにより無線通信が行われる。ワイヤレスセレクタ２１１の状態がオフのときはワイヤレスモードで動作せず、ワイヤレスセレクタ２１１の状態がＭＡＳＴＥＲのときはマスターとして動作し、ワイヤレスセレクタ２１１の状態がＳＬＡＶＥのときはスレーブとして動作する。複数のストロボ装置を用いた多灯ストロボ撮影を行う際には、ワイヤレスセレクタ２１１によりのＭＡＳＴＥＲ機となるのかＳＬＡＶＥ機となるのかを設定する。
【００２６】
ＳＷ回路２１０のＰＯＷＥＲスイッチによってユーザにより電源がオンとされると、それと同時に充電回路２０４を作動させて発光のための充電が行われる。充電が完了すると表示回路２１５によりＬＥＤ２１６が点灯する。
【００２７】
接続端子２１４は、ストロボ装置２００をカメラ本体３００と接続する端子であり、カメラ本体３００側の接続端子２０に接続される。これにより、ストロボ装置２００とカメラ本体３００との間で通信が可能となる。
【００２８】
ストロボ制御部２０１は、発光回路２０５を制御し、発光部２００ｂのＸｅ管を発光させ、これにより、発光部２００ｂからストロボ光が照射される。また、ストロボ制御部２０１は、バウンス駆動回路２０７を制御し、モータ２０８を駆動して発光部２００ｂを最適バウンス角度に回動させる。
【００２９】
その際、バウンス角度は、角度検出部２２５にて検出することができ、ストロボ制御部２０１は、角度検出部２２５で検出されたバウンス角度とカメラ本体３００からの最適バウンス角度の差が最小になるようにモータ２０８を駆動する。発光部２００ｂのバウンス角度は、バウンス角度に連動して発生する信号２０９により確認できる。バウンス駆動回路２０７は、本発明の第２駆動手段の一例に相当する。
【００３０】
さらに、ストロボ制御部２０１は、キャッチライトシート４００を用いるときは、シート駆動回路２２０を制御し、モータ２２１を駆動して、キャッチライトシート４００をストロボ光に対する角度が所定位置になるように回動させる。キャッチライトシート４００の位置は、キャッチライトシート４００の位置に連動して発生する信号２２２により確認できる。シート駆動回路２２０は、本発明の第１駆動手段の一例に相当する。
【００３１】
図３は、カメラ本体３００の制御系を示すブロック図である。図３において、カメラ制御部１４０は、ＣＰＵ、ＲＡＭ、ＲＯＭ、不揮発性メモリ、入出力ポート等を備え、カメラ全体を制御する。カメラ制御部１４０のＣＰＵは、ＲＯＭに格納されたシーケンスプログラムをＲＡＭに展開して所定の処理を実行する。
【００３２】
不揮発性メモリには、例えば、露出制御や焦点調節に関する調整値等を含むカメラの制御パラメータや撮像部１３の撮像素子の調整値、撮影画像のホワイトバランスから画像表示部６に撮影画像を表示する際の制御値のデータ等のパラメータが格納されている。
【００３３】
カメラ制御部１４０は、レリーズボタン３０（図２参照）が半押し操作等されて不図示のＳＷ１がオンとなると、焦点調節や測光等の撮影準備動作を開始する。また、カメラ制御部１４０は、レリーズボタン３０が全押し操作等されて不図示のＳＷ２がオンとなると、露光や現像処理等の撮影動作を開始する。
【００３４】
カメラ制御部１４０は、ストロボ装置２００のストロボ制御部２０１と接続端子２０，２１４を介して通信を行い、ストロボ装置２００がオートバウンス撮影モードであれば、最適バウンス角度を演算してストロボ装置２００へ最適バウンス角度情報を送る。また、カメラ制御部１４０は、ストロボ装置２００のストロボ制御部２０１との間で発光モードや光量、発光タイミング、発光期間などの情報の通信制御を行っている。
【００３５】
撮像部１３は、ＣＣＤセンサやＣＭＯＳセンサ等の撮像素子と、撮像素子を駆動するセンサ駆動部とを有する。撮像素子は、レンズユニット５の撮影光学系を通過して結像した被写体像を光電変換して電気信号を画像処理ブロック１４１へ出力する。
【００３６】
画像処理ブロック１４１は、画像処理部１４２、撮像画像補正部１４３、Ｉ／Ｆ（インターフェイス）部１４５、及び表示画生成部１４４を備える。撮像画像補正部１４３は、Ａ／Ｄ変換機能を備え、撮像部１３から出力された電気信号をＡ／Ｄ変換し、暗電流補正やシェーディング補正などの処理を行う。
【００３７】
画像処理部１４２は、ローパスフィルタによりノイズ成分を除去し、画素及び色補間処理、ホワイトバランスやガンマ補正等の画像処理を行う。Ｉ／Ｆ部１４５は、画像処理部１４２による画像処理後の撮影画像データを外部記憶装置９へ出力したり、外部記憶装置９に記録された撮影画像データを読み出したりする。
【００３８】
また、画像処理部１４２は、画像処理後の撮影画像データや、外部記憶装置９に記憶された撮影画像データに対して表示のための一連の処理を行い、Ｉ／Ｆ部１４５を介して画像表示部６へ出力する。なお、Ｉ／Ｆ部１４５から画像表示部６へ撮影画像データを出力するまでの一連の処理は、表示画生成部１４４のリサイズ部、ＶＲＡＭを経由して行われる。
【００３９】
画像表示部６は、ＬＣＤ等で構成され、撮像部１３で撮像された画像データのほかに、外部記憶装置９に記憶した画像データやカメラの設定情報等を表示する。外部記憶装置９は、メモリカードやＨＤＤ等で構成され、複数の画像データを保存することが可能な不揮発性の記憶媒体であって、カメラ本体３００に対して着脱可能に装着される。
【００４０】
焦点検出部４は、結像面近傍に配置されたフィールドレンズ、反射ミラー、２次結像レンズ、絞り、及び複数の光電変換素子らかなるＣＣＤ等のラインセンサから構成されている。焦点検出部４は、位相差方式であるとともに、観察画面内（ファインダ視野内）の複数の領域を測距点として、該測距点で焦点を検出することが可能となるように構成されている。
【００４１】
レンズユニット５は、レンズ制御回路、焦点調節回路及び絞り駆動回路等を備え、カメラ本体３００の不図示のマウント接点を介してカメラ制御部１４０との間で信号のやりとりを行う。カメラ制御部１４０は、焦点検出部４から出力される信号に基づき、レンズユニット５の焦点調節回路を制御して合焦動作を行う。さらに、カメラ制御部１４０は、測光センサ８から出力される信号に基づいて、絞り駆動回路を制御して、撮像素子に対する露光量を制御する。
【００４２】
次に、図４を参照して、カメラ制御部１４０とストロボ制御部２０１との間でのデータ通信例を説明する。カメラ制御部１４０とストロボ制御部２０１との間では、シリアル通信が行われる。
【００４３】
図４において、／ＳＣＬＫは、通信クロックであり、データ線ＳＤＯは、カメラ制御部１４０からストロボ制御部２０１へのシリアルデータ線であり、データ線ＳＤＩは、ストロボ制御部２０１からカメラ制御部１４０へのシリアルデータ線である。また、データ線／ＳＴＯＮは、ストロボ制御部２０１からカメラ制御部１４０への通信要求線である。
【００４４】
カメラ制御部１４０は、シリアル通信によりストロボ制御部２０１の制御や状態確認ができる。制御内容には、ストロボ装置２００の発光モード、発光量、発光タイミング、オートバウンス撮影を行うときのバウンス角度設定に関する一連の情報等がある。
【００４５】
また、ストロボ制御部２０１は、充電完了などカメラ制御部１４０へ状態を伝えたいときに、データ線／ＳＴＯＮにて通信リクエストを送信してカメラ制御部１４０との間で通信を行い、また、発光期間は、データ線／ＳＴＯＮをＬレベルに引き下げる。
【００４６】
図５は、ストロボ装置２００の発光部２００ｂのバウンス角度とキャッチライトシート４００の角度制御を説明する図である。図５では、図５（ａ）〜図５（ｄ）の順に、発光部２００ｂのバウンス角度θおよびキャッチライトシート４００の角度が変化している。なお、図５において、ＨＰは、発光部２００ｂの回動中心を通るレンズユニット５の光軸と平行な直線であり、発光部２００ｂが回動する際の角度の基準線となる。
【００４７】
図５（ａ）は、カメラ本体３００の背面方向にストロボ光を照射してバウンス撮影を行った結果、バウンス撮影の効果が期待できず、バウンス角度θを当初算出した最適バウンス角度Ｘに戻して発光部２００ｂを最適バウンス角度Ｘに駆動した後の状態を示している。このときのバウンス角度θは、ＨＰ（homeposition）に対して９０度に近い角度であり、ストロボ光の天井面での反射角が鋭角になっている。なお、図５（ａ）は、後述する図８のステップＳ８０１の処理に対応している。
【００４８】
図５（ｂ）は、発光部２００ｂが図５（ａ）と同じバウンス角度θに配置された状態で、キャッチライトシート４００の駆動を開始する前の状態を示している。このとき、キャッチライトシート４００は、発光部２００ｂから突出して、その法線が発光部２００ｂのストロボ光の光軸に対して直交する角度に配置される。なお、図５（ｂ）は、後述する図８のステップＳ８０２の処理に対応している。
【００４９】
図５（ｃ）は、発光部２００ｂのバウンス角度θを９０度にし、ストロボ光を天井面で反射拡散させて、キャッチライトシート４００による効果を測定する際の状態を示している。図５（ｃ）は、後述する図８のステップＳ８０６の処理に対応している。
【００５０】
図５（ｄ）は、図５（ｃ）の状態からキャッチライトシート４００を発光部２００ｂに対して最適角度Ｃの位置まで回動させる。最適角度Ｃは、図５（ｃ）及び図５（ｃ）の状態で発光部２００ｂからストロボ光を天井面に照射してキャッチライトシート４００による効果を測定した結果から求める。
【００５１】
このとき、キャッチライトシート４００のＨＰに対する角度位置は、図５（ｂ）及び図５（ｃ）に示すキャッチライトシート４００の角度の中間の位置になる。なお、図５（ｄ）は、後述する図８のステップＳ８０８の処理に対応している。
【００５２】
次に、図６乃至図８を参照して、オートバウンス撮影における撮像システムの動作について説明する。図６は、オートバウンス撮影におけるカメラ側の動作を説明するフローチャート図である。図６の処理は、カメラ本体３００のカメラ制御部１４０のＲＯＭ等に格納されたプログラムがＲＡＭに展開されてＣＰＵ等により実行される。
【００５３】
図６において、ステップＳ６００では、カメラ制御部１４０は、レリーズボタン３０の半押し操作等でＳＷ１がオンとなった場合、ステップＳ６０１に進む。ステップＳ６０１では、カメラ制御部１４０は、被写体の測光動作及び焦点検出動作を行い、ステップＳ６０２に進む。ステップＳ６０２では、カメラ制御部１４０は、ストロボ装置２００に対してオートバウンス撮影の駆動指示を送信し、ステップＳ６０３に進む。
【００５４】
ステップＳ６０３では、カメラ制御部１４０は、ストロボ装置２００側からオートバウンス撮影の駆動終了通知を受信したかを判定し、受信した場合は、ステップＳ６０４に進む。ステップＳ６０４では、カメラ制御部１４０は、レリーズボタン３０の全押し操作等でＳＷ２がオンされたかを判定し、ＳＷ２がオンされた場合は、ステップＳ６０７に進み、ＳＷ２がオフの場合は、ステップＳ６０５に進む。
【００５５】
ステップＳ６０７では、カメラ制御部１４０は、ストロボ装置２００の発光制御及びカメラの露光制御を実行し、撮影処理を終了する。一方、ステップＳ６０５では、カメラ制御部１４０は、レリーズボタン３０の半押し操作等でＳＷ１がオンとなっているかを判定し、ＳＷ１がオンとなっている場合は、ステップＳ６０６に進み、オフの場合は、処理を終了する。ステップＳ６０６では、カメラ制御部１４０は、被写体の測光動作及び焦点検出動作を行い、ステップＳ６０４に戻る。
【００５６】
図７は、図６のステップＳ６０２でオートバウンス撮影の駆動指示をカメラから受信した場合のストロボ装置２００の動作を説明するフローチャート図である。図７の処理は、ストロボ装置２００のストロボ制御部２０１のＲＯＭ等に格納されたプログラムがＲＡＭに展開されてＣＰＵ等により実行される。
【００５７】
図７において、ステップＳ７００では、ストロボ制御部２０１は、カメラ正面側の被写体との間の距離である正面距離を求め、ステップＳ７０１に進む。ここでは、正面距離は、発光部２００ｂから被写体に照射されたストロボ光の反射光をカメラ本体３００の測光センサ８で受光して、その受光量に基づき求めるが、正面距離の算出方法は、特に限定されない。例えば、ストロボ装置２００に測光センサや測距センサを設けて正面距離を算出してもよい。
【００５８】
ステップＳ７０１では、ストロボ制御部２０１は、バウンス駆動回路２０７により発光部２００ｂを垂直方向に駆動し、ストロボ光をバウンス面（例えば天井面）に照射してバウンス面との間の距離（バウンス面距離）を求め、ステップＳ７０２に進む。バウンス面距離の算出方法は、ステップＳ７００と同様である。
【００５９】
ステップＳ７０２では、ストロボ制御部２０１は、正面距離とバウンス面距離から公知の方法により最適バウンス角度Ｘを算出し、ステップＳ７０３に進む。ここでの最適バウンス角度Ｘとは、被写体に影が映り込ます、かつバウンス面と被写体の距離（光路長）が最短で発光エネルギーのロスが少ない角度となる。
【００６０】
ステップＳ７０３では、ストロボ制御部２０１は、ステップＳ７０２で算出した最適バウンス角度Ｘと背面バウンスに切り替えるべき角度として予め定めた判別角度Ｚ（９０度以下）と比較する。そして、ストロボ制御部２０１は、Ｘ≧Ｚの場合は、ステップＳ７０４に進み、Ｘ＜Ｚの場合は、ステップＳ７０９に進む。
【００６１】
ステップＳ７０９では、ストロボ制御部２０１は、バウンス角度θを最適バウンス角度Ｘに設定し、ステップＳ７１０に進む。ステップＳ７１０では、ストロボ制御部２０１は、バウンス駆動回路２０７によりバウンス角度θ＝最適バウンス角度Ｘとなる位置に発光部２００ｂを移動させ、ステップＳ７１１に進む。
【００６２】
ステップＳ７１１では、ストロボ制御部２０１は、発光部２００ｂからストロボ光をプリ発光させて、そのときの測光センサ８による測光値を取得し、カメラにオートバウンス撮影の駆動終了を通知して（図６のステップＳ６０３）処理を終了する。
【００６３】
ステップＳ７０４では、ストロボ制御部２０１は、背面バウンスを行うため、バウンス角度θを１２０度に設定し、ステップＳ７０５に進む。ステップＳ７０５では、ストロボ制御部２０１は、バウンス駆動回路２０７によりバウンス角度θ＝１２０度となる位置、即ちストロボ光の照射方向がカメラ背面方向となる位置に発光部２００ｂを移動させ、ステップＳ７０６に進む。
【００６４】
ステップＳ７０６では、ストロボ制御部２０１は、発光部２００ｂからストロボ光をプリ発光してカメラ背面方向に照射し、そのときの測光センサ８による測光値を取得してステップＳ７０７に進む。
【００６５】
ステップＳ７０７では、ストロボ制御部２０１は、取得した測光値と予め定めた値とを比較して、予め定めた値の光量のストロボ光を被写体側に反射する反射面（以下、有効反射面という）がカメラ背面方向にあるか否かを判定する。そして、ストロボ制御部２０１は、有効反射面がある場合は、カメラに対してオートバウンス撮影の駆動終了を通知して（図６のステップＳ６０３）処理を終了し、有効反射面がない場合は、ステップＳ７０８に進む。
【００６６】
ステップＳ７０８では、ストロボ制御部２０１は、図８に示すキャッチライトシート４００の駆動制御を行った後に、カメラにオートバウンス撮影の駆動終了を通知して（図６のステップＳ６０３）処理を終了する。
【００６７】
図８は、図７のステップＳ７０８におけるキャッチライトシート４００の駆動制御を説明するフローチャート図である。
【００６８】
図８において、ステップＳ８００では、ストロボ制御部２０１は、バウンス角θを図７のステップＳ７０２で算出した最適バウンス角度Ｘに設定し、ステップＳ８０１に進む。ステップＳ８０１では、ストロボ制御部２０１は、バウンス駆動回路２０７により、バウンス角度θ＝最適バウンス角度Ｘとなる位置に発光部２００ｂを移動させ（図５（ａ）参照）、ステップＳ８０２に進む。
【００６９】
ステップＳ８０２では、ストロボ制御部２０１は、シート駆動回路２２０により、キャッチライトシート４００を発光部２００ｂから照射されるストロボ光を反射可能な位置に移動させ（図５（ｂ）参照）、ステップＳ８０３に進む。
【００７０】
ステップＳ８０３では、ストロボ制御部２０１は、発光部２００ｂからストロボ光をプリ発光させて、そのときの測光センサ８による測光値を取得し、ステップＳ８０４に進む。このとき取得した測光値を第１測光値とする。
【００７１】
ステップＳ８０４では、ストロボ制御部２０１は、バウンス角度θ＝９０度に設定（天井面等に対して垂直となる角度）に設定し、ステップＳ８０５に進む。ステップＳ８０５では、バウンス駆動回路２０７により、バウンス角度θ＝９０度となる位置に発光部２００ｂを移動させ（図５（ｃ）参照）、ステップＳ８０６に進む。
【００７２】
ステップＳ８０６では、ストロボ制御部２０１は、発光部２００ｂからストロボ光をプリ発光させて、そのときの測光センサ８による測光値を取得し、ステップＳ８０７に進む。このとき取得した測光値を第２測光値とする。
【００７３】
ステップＳ８０７では、ストロボ制御部２０１は、第１測光値及び第２測光値から最適なキャッチライトシート４００の角度を算出し、ステップＳ８０８に進む。ここで、キャッチライトシート４００の角度は、第１測光値と第２測光値との差の０.７〜０.８倍となるように、各測光値の比から求める。
【００７４】
第１測光値と第２測光値との差の０.７〜０.８倍は、キャッチライトシート４００を用いない場合の不具合である例えば前髪の影の緩和度の指標であり、意図する緩和度に応じて変更することも可能である。その場合、予め所定の不揮発性メモリに意図する緩和度に応じた値を記憶しておく。
【００７５】
ステップＳ８０８では、ストロボ制御部２０１は、シート駆動回路２２０により、ステップＳ８０７で算出した角度となる位置にキャッチライトシート４００を移動させ、処理を終了する（図５（ｄ）参照）。
【００７６】
以上説明したように、本実施形態では、発光部から被写体までの距離が近い場合に、カメラ背面方向に照射したストロボ光の反射光を利用したバウンス撮影ができない条件であっても、当該バウンス撮影と同等の撮影をスムーズに行うことができる。
【００７７】
なお、本発明は、上記実施形態に例示したものに限定されるものではなく、本発明の要旨を逸脱しない範囲において適宜変更可能である。
【００７８】
例えば、上記実施形態では、発光部２００ｂ及びキャッチライトシート４００の角度調整をそれぞれモータにより自動で行っているが、発光部２００ｂ及びキャッチライトシート４００の角度調整を手動で行ってもよい。
【００７９】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
５  レンズユニット
８  測光センサ
１４０  カメラ制御部
１４１  画像処理ブロック
２００  ストロボ装置
２０１  ストロボ制御部
２０７  バウンス駆動回路
２２０  シート駆動回路
３００  カメラ本体
４００  キヤッチライトシート
【図１】
2018054693.tif 000003
【図２】
2018054693.tif 000004
【図３】
2018054693.tif 000005
【図４】
2018054693.tif 000006
【図５】
2018054693.tif 000007
【図６】
2018054693.tif 000008
【図７】
2018054693.tif 000009
【図８】
2018054693.tif 000010